(57)【要約】      （修正有）【課題】スパイラル状に巻回した水の通路を用いて、効率的に水蒸気を発生することができる水蒸気発生装置を提供する。【解決手段】外部から供給された水Ｗｔを加熱する第１の加熱部１０と、第１の加熱部で加熱された水を再加熱し、水蒸気Ｓｔを流出する第２の加熱部２０と、第１の加熱部と第２の加熱部とを接続する接続管３０とを有し、第１の加熱部は、供給された水を流通する第１の水路１１と、熱を発生する第１の発熱体１２と、第１の発熱体で発生した熱を伝導して第１の水路を加熱する熱伝導体とを備え、第１の水路は、スパイラル状に巻回した管であり、第１の発熱体は、スパイラル状に巻回した加熱コイルであり、第１の水路の外周に配置される。【選択図】図１
0003198100.tif 000002
【実用新案登録請求の範囲】
【請求項１】
水を加熱して、水蒸気を生成する水蒸気発生装置であって、
外部から供給された前記水を加熱する第１の加熱部と、
前記第１の加熱部で加熱された前記水を再加熱し、前記水蒸気を流出する第２の加熱部と、
前記第１の加熱部と前記第２の加熱部とを接続する接続菅と
を有し、
前記第１の加熱部は、供給された前記水を流通する第１の水路と、熱を発生する第１の発熱体と、前記第１の発熱体で発生した熱を伝導して前記第１の水路を加熱する熱伝導体とを備え、
前記第１の水路は、スパイラル状に巻回した管であり、
前記第１の発熱体は、スパイラル状に巻回した加熱コイルであり、前記第１の水路の外周に配置される、
ことを特徴とする水蒸気発生装置。
【請求項２】
前記第２の加熱部は、前記第１の加熱部で加熱された前記水及び／又は蒸気を供給される第２の水路と、熱を発生する第２の発熱体と、前記第２の発熱体で発生した熱を伝導して前記第２の水路を加熱する複数の球状熱伝導体とを備え、
前記第２の水路は、直線形状の円筒菅であり、
前記第２の発熱体は、前記第２の水路の外周に配置され、
複数の前記球状熱伝導体は、前記第２の水路の内部に並列に配置される、
ことを特徴とする、請求項２に記載の水蒸気発生装置。
【請求項３】
前記接続菅は、内壁に断熱材を有する菅である、ことを特徴とする、請求項１又は請求項２に記載の水蒸気発生装置。
【考案の詳細な説明】
【技術分野】
【０００１】
本考案は、水を加熱して水蒸気を発生する水蒸気発生装置に関する。
【背景技術】
【０００２】
特許文献１では、車液浴に部分的に浸漬した多孔質体と、発熱面を備えた発熱体とを有し、該発熱体は、多孔質体の毛細管現象によって給液される多孔質体の被給液面に接触又は近接し、前記被給液面に給液される前記液浴の水は、前記発熱体の発熱により加熱され、前記多孔質体の細孔内で気化し且つ過熱される過熱水蒸気発生装置に関する技術を開示している。また、特許文献２では、容器内にあって気液二相流を受け入れて前記気液二相流を蒸気と液体とに分離して、蒸気を排出する気液分離装置において、前記気液二相流を受け入れて前記気液二相流を湿分除去前蒸気と液体とに分離する複数のスタンドパイプと、前記複数のスタンドパイプの上方に設けられて前記湿分除去前蒸気を受け入れて湿分除去後蒸気と液体とに分離する湿分除去部とを備える気液分離装置に関する技術を開示している。
【先行技術文献】
【特許文献】
【０００３】
【特許文献１】特開２０１５‐２５５９３号公報
【特許文献２】特開２０１５‐２１７０９号公報
【考案の概要】
【考案が解決しようとする課題】
【０００４】
しかしながら、特許文献１及び特許文献２に開示されている技術では、純水以外の水を用いて水蒸気を発生させる場合に、水中の不純物が多孔質体又は湿分除去部に付着する場合がある。また、特許文献１及び特許文献２では、水蒸気を生成するために大量の水が必要になる場合がある。更に、特許文献１及び特許文献２では、水蒸気を生成するために大量の熱量の加熱が必要になる場合がある。
【０００５】
本考案は、スパイラル状に巻回した水の通路を用いて、効率的に水蒸気を発生することができる水蒸気発生装置を提供することを目的とする。また、本考案は、特に純水以外の水を用いて水蒸気を発生させる場合に、水中の不純物が水の通路に付着し難い水蒸気発生装置を提供することを目的とする。
【課題を解決するための手段】
【０００６】
上記課題を解決するために、本考案の一つの実施形態は、水を加熱して、水蒸気を生成する水蒸気発生装置であって、外部から供給された前記水を加熱する第１の加熱部と、前記第１の加熱部で加熱された前記水を再加熱し、前記水蒸気を流出する第２の加熱部と、前記第１の加熱部と前記第２の加熱部とを接続する接続菅とを有し、前記第１の加熱部は、供給された前記水を流通する第１の水路と、熱を発生する第１の発熱体と、前記第１の発熱体で発生した熱を伝導して前記第１の水路を加熱する熱伝導体とを備え、前記第１の水路は、スパイラル状に巻回した管であり、前記第１の発熱体は、スパイラル状に巻回した加熱コイルであり、前記第１の水路の外周に配置される、ことを特徴とする水蒸気発生装置を提供する。
【０００７】
本考案の他の実施形態は、上記の水蒸気発生装置であって、前記第２の加熱部は、前記第１の加熱部で加熱された前記水及び／又は蒸気を供給される第２の水路と、熱を発生する第２の発熱体と、前記第２の発熱体で発生した熱を伝導して前記第２の水路を加熱する複数の球状熱伝導体とを備え、前記第２の水路は、直線形状の円筒菅であり、前記第２の発熱体は、前記第２の水路の外周に配置され、複数の前記球状熱伝導体は、前記第２の水路の内部に並列に配置される、ことを特徴とする水蒸気発生装置であってもよい。
【０００８】
本考案の他の実施形態は、前記接続菅は、内壁に断熱材を有する菅である、ことを特徴とする上記のいずれか１つの水蒸気発生装置であってもよい。
【考案の効果】
【０００９】
本考案に係る水蒸気発生装置によれば、スパイラル状に巻回した水の通路を用いて、効率的に水蒸気を発生することができる。また、本考案に係る水蒸気発生装置によれば、特に純水以外の水を用いて水蒸気を発生させる場合に、水中の不純物が水の通路に付着することを低減することができる。更に、本考案に係る水蒸気発生装置によれば、スパイラル状に巻回した第１の加熱部および球状熱伝導体を内部に備える第２の加熱部を用いて、コンパクトなデザインで、且つ、水蒸気生成効率を向上することができる。
【図面の簡単な説明】
【００１０】
【図１】本発明の実施形態に係る水蒸気発生装置の一例を示す説明図である。
【図２】本発明の実施形態に係る第１の加熱部の一例を示す概略断面図である。
【図３】本発明の実施形態に係る第１の加熱部の加熱水路の一例を示す説明図である。
【図４】本発明の実施形態に係る第２の加熱部の一例を示す概略外観図である。
【図５】本発明の実施形態に係る第２の加熱部の一例を示す概略断面図である。
【考案を実施するための形態】
【００１１】
実施形態に係る水蒸気発生装置の例を用いて、本考案を説明する。なお、本考案は、以後に説明する水蒸気発生装置以外でも、水を加熱して水蒸気（又は蒸気、スチームなど）を生成するもの（部品、装置、システム、アプリケーションなど）であれば、いずれのものにも用いることができる。ここで、加熱する水は、その物性や種類を限定されるものではない。
【００１２】
以後に、本考案を説明する。
【００１３】
図１乃至図５を用いて、本考案の実施形態に係る水蒸気発生装置の構成を説明する。ここで、図１は、本発明の実施形態に係る水蒸気発生装置１００の一例を示す説明図である。図２は、本発明の実施形態に係る第１の加熱部１０の一例を示す概略縦断面図である。図３は、本発明の実施形態に係る第１の加熱部１０の加熱水路１１Ｒの一例を示す説明図である。図４は、本発明の実施形態に係る第２の加熱部２０の一例を示す概略外観図である。図５は、本発明の実施形態に係る第２の加熱部２０の一例を示す概略縦断面図である。なお、図１に示す水蒸気発生装置等は一例であり、本考案は図１に示す水蒸気発生装置等に限定されるものではない。
【００１４】
図１に示すように、本考案に係る水蒸気発生装置１００は、供給された水Ｗｔを加熱する第１の加熱部１０と、第１の加熱部１０で加熱された水を再加熱する第２の加熱部２０と、第１の加熱部１０と第２の加熱部２０とを接続する接続菅３０とを有する。水蒸気発生装置１００は、水を加熱して、水蒸気を生成する装置である。水蒸気発生装置１００は、第１の加熱部１０を用いて外部から供給された水Ｗｔを加熱し、接続菅３０を用いて第１の加熱部１０で加熱された水及び／又は水蒸気を第２の加熱部２０に供給し、第２の加熱部２０を用いて水及び／又は水蒸気を再加熱して外部に水蒸気Ｓｔを流出（噴出、噴射、搬出など）する。
【００１５】
図１及び図２に示すように、本考案に係る第１の加熱部１０は、水を流通する第１の水路１１と、熱を発生する第１の発熱体１２と、第１の発熱体１２で発生した熱を伝導して第１の水路１１を加熱する熱伝導体１４とを備える。また、第１の加熱部１０は、本実施形態では、熱伝導体１４の外壁を覆う断熱材１３を更に有する。第１の加熱部１０は、外部から供給された水Ｗｔを加熱するものである。
【００１６】
第１の水路１１は、外部から供給された水Ｗｔを第１の加熱部１０の内部に流通するものである。図３に示すように、第１の水路１１の加熱水路１１Ｒは、スパイラル状に巻回した管である。第１の水路１１の一端は外部の給水源を接続され、その他端は接続菅３０（第２の加熱部２０）を接続されている。第１の水路１１は、加熱水路１１Ｒで外部から供給された水Ｗｔを加熱する。ここで、第１の水路１１（加熱水路１１Ｒ）のスパイラル状の巻回数は、特に限定されるものではない。第１の水路１１のスパイラル状の巻回数は、装置の性能及び供給する水の物性などに基づいて、実験、計算は又は設計で予め定められる巻回数とすることができる。
【００１７】
第１の発熱体１２は、熱を発生するものである。第１の発熱体１２は、スパイラル状に巻回した加熱コイルを用いる。また、第１の発熱体１２は、第１の水路１１の外周に配置される。ここで、第１の発熱体１２のスパイラル状の巻回数は、特に限定されるものではない。第１の発熱体１２のスパイラル状の巻回数は、第１の水路１１の管の巻回数、装置の性能及び供給する水の物性などに基づいて、実験、計算は又は設計で予め定められる巻回数とすることができる。
【００１８】
断熱材１３は、第１の発熱体１２で発生した熱が第１の加熱部１０の外部に伝導するのを防ぐ部材である。断熱材１３は、第１の水路１１と第１の発熱体１２とを内包する熱伝導体１４の外部を覆うことによって、外部への放熱を遮断する。これにより、第１の加熱部１０は、水蒸気を発生するために必要な熱量を低減し、その性能を向上することができる。なお、断熱材１３の材質及び外形は、特に限定されるものではない。断熱材１３は、断熱性の高い非導電性の耐熱材料（例えば耐熱セメント、エンジニアリングプラスチック、セラミックなど）を用いてもよい。
【００１９】
熱伝導体１４は、第１の発熱体１２で発生した熱を伝導して第１の水路１１を加熱するものである。熱伝導体１４は、本実施形態では、第１の水路１１と第１の発熱体１２とを内包する。なお、熱伝導体１４の材質及び外形は、特に限定されるものではない。熱伝導体１４は、導電性金属材（例えばステンレス鋼）を用いてもよい。
【００２０】
図１、図４及び図５に示すように、本考案に係る第２の加熱部２０は、第１の加熱部１０で加熱された水及び／又は蒸気を供給される第２の水路２１（図４）と、熱を発生する第２の発熱体２２（図５）と、第２の発熱体２２で発生した熱を伝導して第２の水路２１を加熱する複数の球状熱伝導体２２ｂ（図５）とを備える。また、第２の加熱部２０は、本実施形態では、第２の発熱体２２の外壁を覆う断熱材２３を更に有する。第２の加熱部２０は、水蒸気発生装置１００の外部に、加熱により生成した水蒸気Ｓｔを流出（噴出、噴射、搬出など）するものである。また、第２の加熱部２０は、第１の加熱部１０で加熱された水及び／又は蒸気を更に加熱することで、発生（噴出等）する水蒸気の温度と量を細かく調整するものである。
【００２１】
第２の水路２１は、第１の加熱部１０で加熱された水及び／又は蒸気を再加熱するものである。図５に示すように、第２の水路１１は、直線形状の円筒菅２１ｍを用いる。第２の水路２１（円筒菅２１ｍ）の一端２１ｉｎは接続菅３０（第１の加熱部１０）を接続され、その他端２１ｏｕｔは外部に開放している。第２の水路２１は、円筒菅の内部で水及び／又は蒸気を再加熱する。ここで、第２の水路２１の形状（管径や長さ）は、特に限定されるものではない。第２の水路２１の形状は、装置の性能及び供給する水の物性などに基づいて、実験、計算は又は設計で予め定められる巻回数とすることができる。
【００２２】
第２の発熱体２２は、熱を発生するものである。第２の発熱体２２の発熱方法は、従来の加熱技術を用いることができる。また、第２の発熱体２２は、第２の水路２１（円筒菅２１ｍ）の外周に配置される。ここで、第２の発熱体２２の発熱性能および形状は、特に限定されるものではない。第２の発熱体２２の発熱性能および形状は、装置の性能及び生成する水蒸気の量などに基づいて、実験、計算は又は設計で予め定められる発熱性能および形状とすることができる。
【００２３】
複数の球状熱伝導体２２ｂは、第２の水路２１（円筒菅２１ｍ）の内部の水及び／又は蒸気を再加熱するものである。複数の球状熱伝導体２２ｂは、第２の発熱体２２で加熱され、その結果円筒菅２１ｍの内部の水及び／又は蒸気を加熱する。図５に示すように、複数の球状熱伝導体２２ｂは、第２の水路（円筒菅２１ｍ）の内部に並列に配置される。なお、配置する球状熱伝導体２２ｂの数は、特に限定されるものではない。球状熱伝導体２２ｂの数は、装置の性能及び生成する水蒸気の量などに基づいて、実験、計算は又は設計で予め定められる数とすることができる。
【００２４】
以上のとおり、本考案に係る水蒸気発生装置１００によれば、第１の加熱部１０のスパイラル状に巻回した第１の水路１１（第１の加熱水路）を用いて、効率的に水蒸気を発生することができる。また、本考案に係る水蒸気発生装置によれば、第２の加熱部２０の第２の水路２１を用いて、効率的に水蒸気を発生することができる。更に、本考案に係る水蒸気発生装置１００によれば、第１の加熱部１０と第２の加熱部２０とを独立して制御することができるので、発生（生成）する水蒸気の温度と量を自由に容易に調節することができる。また、更に、本考案に係る水蒸気発生装置１００によれば、第１の加熱部１０の限られた容積（第１の水路１１）と第２の加熱部２０の限られた容積（第２の水路２１）とを加熱することができるので、加熱効率が高くなり、所望の温度が高速で応答し、精度よく調節することができる。本考案に係る水蒸気発生装置１００によれば、例えば水蒸気の温度を１００〜３００℃の範囲の所望の温度に調節することができる。
【００２５】
また、本考案に係る水蒸気発生装置によれば、第１の加熱部１０の限られた容積（第１の水路１１）と第２の加熱部２０の限られた容積（第２の水路２１）とを加熱することができるので、特に純水以外の水を用いて水蒸気を発生させる場合に、水中の不純物が水の通路に付着することを低減することができる。更に、本考案に係る水蒸気発生装置によれば、スパイラル状に巻回した第１の加熱部および球状熱伝導体を内部に備える第２の加熱部を用いて、コンパクトなデザインで、デザインの自由度も高く、且つ、水蒸気生成効率を向上することを両立することができる。
【００２６】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２７】
１００  ：  水蒸気発生装置
１０  ：  第１の加熱部
１１  ：  第１の水路
１１Ｒ：  第１の加熱水路
１２  ：  第１の発熱体（加熱コイル）
１３  ：  断熱材
１４  ：  熱伝導体
２０  ：  第２の加熱部
２１  ：  第２の水路
２１ｉｎ  ：  供給部（第２の水路）
２１ｏｕｔ：  流出部（第２の水路）
２１ｍ：  第２の加熱水路（第２の水路）
２２  ：  第２の発熱体
２２ｂ：  球状熱伝導体
２３  ：  断熱材
３０  ：  接続菅（断熱ホースなど）
Ｗｔ  ：  水
Ｓｔ  ：  水蒸気（蒸気、スチーム）
【図１】
0003198100.tif 000003
【図２】
0003198100.tif 000004
【図３】
0003198100.tif 000005
【図４】
0003198100.tif 000006
【図５】
0003198100.tif 000007
【手続補正書】
【提出日】平成27年4月15日(2015.4.15)
【手続補正１】
【補正対象書類名】実用新案登録請求の範囲
【補正対象項目名】全文
【補正方法】変更
【補正の内容】
【実用新案登録請求の範囲】
【請求項１】
水を加熱して、水蒸気を生成する水蒸気発生装置であって、
外部から供給された前記水を加熱する第１の加熱部と、
前記第１の加熱部で加熱された前記水を再加熱し、前記水蒸気を流出する第２の加熱部と、
前記第１の加熱部と前記第２の加熱部とを接続する接続管と
を有し、
前記第１の加熱部は、供給された前記水を流通する第１の水路と、熱を発生する第１の発熱体と、前記第１の発熱体で発生した熱を伝導して前記第１の水路を加熱する熱伝導体とを備え、
前記第１の水路は、スパイラル状に巻回した管であり、
前記第１の発熱体は、スパイラル状に巻回した加熱コイルであり、前記第１の水路の外周に配置される、
ことを特徴とする水蒸気発生装置。
【請求項２】
前記第２の加熱部は、前記第１の加熱部で加熱された前記水及び／又は蒸気を供給される第２の水路と、熱を発生する第２の発熱体と、前記第２の発熱体で発生した熱を伝導して前記第２の水路を加熱する複数の球状熱伝導体とを備え、
前記第２の水路は、直線形状の円筒管であり、
前記第２の発熱体は、前記第２の水路の外周に配置され、
複数の前記球状熱伝導体は、前記第２の水路の内部に並列に配置される、
ことを特徴とする、請求項１に記載の水蒸気発生装置。
【請求項３】
前記接続管は、内壁に断熱材を有する管である、ことを特徴とする、請求項１又は請求項２に記載の水蒸気発生装置。
【手続補正２】
【補正対象書類名】明細書
【補正対象項目名】０００６
【補正方法】変更
【補正の内容】
【０００６】
上記課題を解決するために、本考案の一つの実施形態は、水を加熱して、水蒸気を生成する水蒸気発生装置であって、外部から供給された前記水を加熱する第１の加熱部と、前記第１の加熱部で加熱された前記水を再加熱し、前記水蒸気を流出する第２の加熱部と、前記第１の加熱部と前記第２の加熱部とを接続する接続管とを有し、前記第１の加熱部は、供給された前記水を流通する第１の水路と、熱を発生する第１の発熱体と、前記第１の発熱体で発生した熱を伝導して前記第１の水路を加熱する熱伝導体とを備え、前記第１の水路は、スパイラル状に巻回した管であり、前記第１の発熱体は、スパイラル状に巻回した加熱コイルであり、前記第１の水路の外周に配置される、ことを特徴とする水蒸気発生装置を提供する。
【手続補正３】
【補正対象書類名】明細書
【補正対象項目名】０００７
【補正方法】変更
【補正の内容】
【０００７】
本考案の他の実施形態は、上記の水蒸気発生装置であって、前記第２の加熱部は、前記第１の加熱部で加熱された前記水及び／又は蒸気を供給される第２の水路と、熱を発生する第２の発熱体と、前記第２の発熱体で発生した熱を伝導して前記第２の水路を加熱する複数の球状熱伝導体とを備え、前記第２の水路は、直線形状の円筒管であり、前記第２の発熱体は、前記第２の水路の外周に配置され、複数の前記球状熱伝導体は、前記第２の水路の内部に並列に配置される、ことを特徴とする水蒸気発生装置であってもよい。
【手続補正４】
【補正対象書類名】明細書
【補正対象項目名】０００８
【補正方法】変更
【補正の内容】
【０００８】
本考案の他の実施形態は、前記接続管は、内壁に断熱材を有する管である、ことを特徴とする上記のいずれか１つの水蒸気発生装置であってもよい。
【手続補正５】
【補正対象書類名】明細書
【補正対象項目名】００１４
【補正方法】変更
【補正の内容】
【００１４】
図１に示すように、本考案に係る水蒸気発生装置１００は、供給された水Ｗｔを加熱する第１の加熱部１０と、第１の加熱部１０で加熱された水を再加熱する第２の加熱部２０と、第１の加熱部１０と第２の加熱部２０とを接続する接続管３０とを有する。水蒸気発生装置１００は、水を加熱して、水蒸気を生成する装置である。水蒸気発生装置１００は、第１の加熱部１０を用いて外部から供給された水Ｗｔを加熱し、接続管３０を用いて第１の加熱部１０で加熱された水及び／又は水蒸気を第２の加熱部２０に供給し、第２の加熱部２０を用いて水及び／又は水蒸気を再加熱して外部に水蒸気Ｓｔを流出（噴出、噴射、搬出など）する。
【手続補正６】
【補正対象書類名】明細書
【補正対象項目名】００１６
【補正方法】変更
【補正の内容】
【００１６】
第１の水路１１は、外部から供給された水Ｗｔを第１の加熱部１０の内部に流通するものである。図３に示すように、第１の水路１１の加熱水路１１Ｒは、スパイラル状に巻回した管である。第１の水路１１の一端は外部の給水源を接続され、その他端は接続管３０（第２の加熱部２０）を接続されている。第１の水路１１は、加熱水路１１Ｒで外部から供給された水Ｗｔを加熱する。ここで、第１の水路１１（加熱水路１１Ｒ）のスパイラル状の巻回数は、特に限定されるものではない。第１の水路１１のスパイラル状の巻回数は、装置の性能及び供給する水の物性などに基づいて、実験、計算は又は設計で予め定められる巻回数とすることができる。
【手続補正７】
【補正対象書類名】明細書
【補正対象項目名】００２１
【補正方法】変更
【補正の内容】
【００２１】
第２の水路２１は、第１の加熱部１０で加熱された水及び／又は蒸気を再加熱するものである。図５に示すように、第２の水路１１は、直線形状の円筒管２１ｍを用いる。第２の水路２１（円筒管２１ｍ）の一端２１ｉｎは接続管３０（第１の加熱部１０）を接続され、その他端２１ｏｕｔは外部に開放している。第２の水路２１は、円筒管の内部で水及び／又は蒸気を再加熱する。ここで、第２の水路２１の形状（管径や長さ）は、特に限定されるものではない。第２の水路２１の形状は、装置の性能及び供給する水の物性などに基づいて、実験、計算は又は設計で予め定められる巻回数とすることができる。
【手続補正８】
【補正対象書類名】明細書
【補正対象項目名】００２２
【補正方法】変更
【補正の内容】
【００２２】
第２の発熱体２２は、熱を発生するものである。第２の発熱体２２の発熱方法は、従来の加熱技術を用いることができる。また、第２の発熱体２２は、第２の水路２１（円筒管２１ｍ）の外周に配置される。ここで、第２の発熱体２２の発熱性能および形状は、特に限定されるものではない。第２の発熱体２２の発熱性能および形状は、装置の性能及び生成する水蒸気の量などに基づいて、実験、計算は又は設計で予め定められる発熱性能および形状とすることができる。
【手続補正９】
【補正対象書類名】明細書
【補正対象項目名】００２３
【補正方法】変更
【補正の内容】
【００２３】
複数の球状熱伝導体２２ｂは、第２の水路２１（円筒管２１ｍ）の内部の水及び／又は蒸気を再加熱するものである。複数の球状熱伝導体２２ｂは、第２の発熱体２２で加熱され、その結果円筒管２１ｍの内部の水及び／又は蒸気を加熱する。図５に示すように、複数の球状熱伝導体２２ｂは、第２の水路（円筒管２１ｍ）の内部に並列に配置される。なお、配置する球状熱伝導体２２ｂの数は、特に限定されるものではない。球状熱伝導体２２ｂの数は、装置の性能及び生成する水蒸気の量などに基づいて、実験、計算は又は設計で予め定められる数とすることができる。
【手続補正１０】
【補正対象書類名】明細書
【補正対象項目名】００２７
【補正方法】変更
【補正の内容】
【００２７】
１００  ：  水蒸気発生装置
１０  ：  第１の加熱部
１１  ：  第１の水路
１１Ｒ：  第１の加熱水路
１２  ：  第１の発熱体（加熱コイル）
１３  ：  断熱材
１４  ：  熱伝導体
２０  ：  第２の加熱部
２１  ：  第２の水路
２１ｉｎ  ：  供給部（第２の水路）
２１ｏｕｔ：  流出部（第２の水路）
２１ｍ：  第２の加熱水路（第２の水路）
２２  ：  第２の発熱体
２２ｂ：  球状熱伝導体
２３  ：  断熱材
３０  ：  接続管（断熱ホースなど）
Ｗｔ  ：  水
Ｓｔ  ：  水蒸気（蒸気、スチーム）